(57)【要約】【課題】限られた操作インターフェースを用いて、楽曲を直感的に選曲する装置を提供することを目的とする。【解決手段】利用者の当該装置に対する動作を動作検知手段により検知し、検知した動作から再生制御コマンドを生成し、再生制御コマンドに応じて選曲等の再生動作を行うことにより、煩雑なボタン操作等なく利用者の直感的な動作に応じて楽曲の選曲を行うことができる。【選択図】図１
2006017874.tif 000002
【特許請求の範囲】
【請求項１】
装置に対する利用者の動作を検知する動作検知手段と、
前記動作検知手段により検知された利用者の動作から再生制御のためのコマンドを生成するコマンド生成手段と、
前記動作検知手段の動作と前記コマンド生成手段で生成するコマンドとの対応を定義するコマンド定義手段と、
前記コマンド生成手段が生成するコマンドに応じて音楽データの再生を制御する再生制御手段と、
前記音楽再生装置で再生する音楽データを格納する音楽データ格納手段と、
前記音楽データ格納手段に格納されている各音楽データの特徴量を抽出する特徴量抽出手段と、
前記特徴量抽出手段で抽出した特徴量を含め前記音楽データ格納手段に格納されている音楽データの属性情報を楽曲毎に格納する楽曲属性格納手段と、
前記楽曲属性格納手段に格納されている各楽曲の属性情報を参照し、前記再生制御手段からの制御に応じて楽曲を選曲する選曲手段と、
前記再生制御手段からの制御に応じて前記音楽データ格納手段から前記楽曲の音楽データを取得し再生を行う音楽データ再生手段とを、
具備し、利用者の動作に応じて楽曲を再生することを特徴する音楽再生装置。
【請求項２】
特徴量抽出手段が音楽データ格納手段に格納されている楽曲の印象を表す特徴量を抽出し、
楽曲属性格納手段が前記楽曲の印象を表す特徴量を楽曲毎に格納し、
選曲手段が前記楽曲属性格納手段に格納された、各楽曲の印象を表す特徴量を参照して楽曲を選曲することを特徴とする、
請求項１記載の音楽再生装置。
【請求項３】
動作検知手段が利用者の前記装置に対する加振動作の強弱を検知し、
コマンド定義手段は前記加振動作の強弱と選曲制御情報との対応を定義し、
コマンド生成手段はコマンド定義手段の定義を参照して前記装置に対する加振動作の強弱に応じた選曲制御コマンドを生成し、
選曲手段は前記選曲制御コマンドに応じて楽曲属性格納手段に格納された各楽曲の印象を表す特徴量を参照して楽曲を選曲することを特徴とする、
請求項２記載の音楽再生装置。
【請求項４】
装置に対する利用者の動作を検知する動作検知ステップと、
前記動作検知ステップにより検知された利用者の動作から再生制御のためのコマンドを生成するコマンド生成ステップと、
前記動作検知ステップの動作と前記コマンド生成ステップで生成するコマンドとの対応を定義するコマンド定義ステップと、
前記コマンド生成ステップが生成するコマンドに応じて音楽データの再生を制御する再生制御ステップと、
前記音楽再生装置で再生する音楽データを格納する音楽データ格納ステップと、
前記音楽データ格納ステップに格納されている各音楽データの特徴量を抽出する特徴量抽出ステップと、
前記特徴量抽出ステップで抽出した特徴量を含め前記音楽データ格納ステップに格納されている音楽データの属性情報を楽曲毎に格納する楽曲属性格納ステップと、
前記楽曲属性格納ステップに格納されている各楽曲の属性情報を参照し、前記再生制御ステップからの制御に応じて楽曲を選曲する選曲ステップと、
前記再生制御ステップからの制御に応じて前記音楽データ格納ステップから前記楽曲の音楽データを取得し再生を行う音楽データ再生ステップと、
より構成され、利用者の動作に応じて楽曲を再生することを特徴する音楽再生方法。
【発明の詳細な説明】
【技術分野】
【０００１】
本発明は、音楽再生装置に蓄積された音楽データを直感的に選曲するための選曲技術、及び選曲を行うための操作インターフェース技術に関するものである。
【背景技術】
【０００２】
ＣＤプレーヤーやＨＤＤオーディオプレーヤー等、媒体に記録された音楽データを再生する機器において、特定の曲を選曲する場合は、「早送りボタン」、「スキップボタン」、「曲番号指定ボタン」等の操作ボタン群への利用者の動作の組み合わせで操作するのが従来の音楽再生機器の一般的な操作方法である。
【０００３】
一方、指揮棒の振り方で楽曲の再生テンポ、音量等を制御できるカラオケ装置が提案されている（例えば特許文献１）。このカラオケ装置の場合は「指揮棒を振る」という利用者の直感的な操作により、機器の再生動作を操作することができる。
【特許文献１】特開平１０−５５１７４号公報
【発明の開示】
【発明が解決しようとする課題】
【０００４】
しかしながら、上述のような操作ボタン群により所望の楽曲を選曲する場合は、媒体に記録されている楽曲が多数の場合、所望の曲にたどりつくまでに操作ボタン群を多数回操作が必要であったり、また携帯機器等、操作ボタン群に対して十分のスペースが割り当てられていない場合は少数のボタンで選曲操作をしなければならず、利用者の操作上の負担を強いるものであった。
【０００５】
また、上述の指揮棒の振り方で制御を行う場合は、指揮棒という限られた操作形態の中でしか装置の制御を行うことができず、指揮棒の操作から連想できないような動作、例えば選曲等の操作を行うことができなかった。
【０００６】
本発明は、前記従来の課題を解決するもので、限られた操作インターフェースを用いて、楽曲を直感的に選曲する装置を提供することを目的とする。
【課題を解決するための手段】
【０００７】
前記従来の課題を解決するために、本発明の音楽再生装置は、装置に対する利用者の動作を検知する動作検知手段と、前記動作検知手段により検知された利用者の動作から再生制御のためのコマンドを生成するコマンド生成手段と、前記動作検知手段の動作と前記コマンド生成手段で生成するコマンドとの対応を定義するコマンド定義手段と、前記コマンド生成手段が生成するコマンドに応じて音楽データの再生を制御する再生制御手段と、当該音楽再生装置で再生する音楽データを格納する音楽データ格納手段と、前記音楽データ格納手段に格納されている各音楽データの特徴量を抽出する特徴量抽出手段と、前記特徴量抽出手段で抽出した特徴量を含め前記音楽データ格納手段に格納されている音楽データの属性情報を楽曲毎に格納する楽曲属性格納手段と、前記楽曲属性格納手段に格納されている各楽曲の属性情報を参照し、前記再生制御手段からの制御に応じて楽曲を選曲する選曲手段と、前記再生制御手段からの制御に応じて前記音楽データ格納手段から当該楽曲の音楽データを取得し再生を行う音楽データ再生手段とを有し、本構成によって利用者の当該装置に対する動作に応じて楽曲を再生することができる。
【０００８】
また、特徴量抽出手段が音楽データ格納手段に格納されている楽曲の印象を表す特徴量を抽出し、楽曲属性格納手段が前記楽曲の印象を表す特徴量を楽曲毎に格納し、選曲手段が前記楽曲属性格納手段に格納された、各楽曲の印象を表す特徴量を参照して楽曲を選曲することにより、利用者の当該装置に対する動作を楽曲の印象に関連付けることができ、操作ボタン群を設置できないような小型音楽再生装置など限られた操作インターフェースを用いて、楽曲を直感的に選曲することができる。
【０００９】
また、動作検知手段が利用者の当該装置に対する加振動作の強弱を検知し、コマンド定義手段は前記加振動作の強弱と選曲制御情報との対応を定義し、コマンド生成手段はコマンド定義手段の定義を参照して当該装置に対する加振動作の強弱に応じた選曲制御コマンドを生成し、選曲手段は前記選曲制御コマンドに応じて楽曲属性格納手段に格納された各楽曲の印象を表す特徴量を参照して楽曲を選曲することにより、当該音楽再生装置の振り具合に応じて選曲対象楽曲の印象を指定することができ、「激しく振る」⇒「激しい曲」を選曲、というように当該音楽再生装置に対して利用者が行うアクションに応じて直感的に楽曲を選曲することができる。
【発明の効果】
【００１０】
本発明の音楽再生装置によれば、利用者の当該装置に対する動作に応じて楽曲を再生することができる。
【発明を実施するための最良の形態】
【００１１】
以下本発明の実施の形態について、図面を参照しながら説明する。
【００１２】
（実施の形態１）
図１は、本発明の実施の形態１における楽曲情報抽出装置の構成を示すブロック図である。図１において、１１は動作検知手段、１２はコマンド生成手段、１３はコマンド定義手段、１４は再生制御手段、１５は音楽データ格納手段、１６は特徴量抽出手段、１７は楽曲属性格納手段、１８は選曲手段、１９は音楽データ再生手段を表している。
【００１３】
動作検知手段１１は、当該音楽再生装置の動きを検知する手段であり、利用者が当該音楽再生装置に対して行う、「振る」、「たたく」、「握る」等の動作を加速度センサー、振動センサー、圧力センサー等の素子により検知し電気的な信号として出力する。動作検知の例として加速度センサーについて説明する。図２は一般的な加速度センサーを振った場合の出力信号の例である。図２は加速度センサーを１秒間に５回振った際の信号の例であり、一定の閾値を設けその閾値を出力電圧が越えた回数をカウントすることにより振った回数を検知することができる。図２の例では、時刻２２から２６において閾値２１を越えているため、１秒間に５回振ったことが検知できる。
【００１４】
コマンド生成手段１２は、動作検知手段１１が出力する信号から音楽再生制御のためのコマンドを生成する。コマンド生成手段１２は、動作検知手段１１から信号が入力されるとコマンド定義手段１３を参照し、対応する制御コマンドを選択し出力する。
【００１５】
コマンド定義手段１３は、コマンド生成手段１２で動作検知手段１１の出力から音楽再生制御のためのコマンドを生成すためのコマンド定義情報を保持している。例えば、「振る」回数に応じて選曲方法を定義する場合、コマンド定義手段１３は次のような定義を保持する。
【００１６】
（１）  １回／秒  ⇒  選曲エリア１から選曲
（２）  ２回／秒  ⇒  選曲エリア２から選曲
（３）  ３回／秒  ⇒  選曲エリア３から選曲
（４）  ４回／秒  ⇒  選曲エリア４から選曲
（５）  ５回／秒  ⇒  選曲エリア５から選曲
動作検知手段１１で検知した「振る回数」の動作が５回／秒であった場合、コマンド生成手段１２はコマンド定義手段１３の上記定義（５）から「選曲エリア５から選曲」という対応関係を導出し、制御コマンドとして出力する。
【００１７】
図３は選曲エリアの説明図である。図３においてグラフ上の点は音楽データ格納手段１５に格納されている各楽曲の印象値座標を表している。印象値とは楽曲の印象を特定の因子から構成される空間（印象空間と呼ぶ）の座標で表現したものであり、図３の例ではＸ座標が「硬い−柔らかい」、Ｙ座標が「激しい−穏やか」を表している。選曲エリアとは印象空間上の特定のエリアを表すものであり、例えばエリア５は「激しい」因子が大きな楽曲、すなわち非常に激しい感じの楽曲が存在するエリアとなる。
【００１８】
再生制御手段１４は、コマンド生成手段１２が生成した制御コマンドに対応して選曲手段１８及び音楽データ再生手段１９の動作を制御する。上記例の場合、「選曲エリア５から選曲」というコマンドがコマンド生成手段１２から出力されると、再生制御手段１４は選曲手段１８に対し選曲エリア及び選曲開始を指示する。選曲が完了し該当する選曲結果が選曲手段１８から楽曲ＩＤ番号として出力されると、再生制御手段１４は前記楽曲ＩＤ番号及び再生開始指示を音楽データ再生手段１９に出力する。
【００１９】
音楽データ格納手段１５は、当該音楽再生装置で再生を行う音楽データを格納する。音楽データは、圧縮（ＭＰＥＧ１  ＬａｙｅｒＩＩＩ、Ａｄｖａｎｃｅｄ  Ａｕｄｉｏ  Ｃｏｄｅｃ等）及び非圧縮（ＰＣＭ形式等）いずれでもよく、ＨＤＤや半導体メモリ等の媒体に格納する。
【００２０】
特徴量抽出手段１６は、音楽データ格納手段１５に格納されている音楽データの特徴量を各データ毎に抽出する。抽出する特徴量は、楽曲のテンポ、ビート等の音楽的特徴量や、楽曲の主観的な印象を数量的に表現する印象値などであり、各楽曲の特徴量抽出は例えば特開２００２−２７８５４７号公報の楽曲検索用データ登録装置の方法で行う。
【００２１】
楽曲属性格納手段１７は、音楽データ格納手段１５に格納されている音楽データの属性情報を各楽曲毎に格納する。格納する属性情報は、特徴量抽出手段１６で抽出された特徴量や曲名・アーティスト名等の書誌情報等であり、楽曲ＩＤ番号で参照が可能である。
【００２２】
選曲手段１８は、再生制御手段１４からの指示に応じて、楽曲属性格納手段１７に格納されている各楽曲の属性情報を利用して楽曲を選曲し、選曲結果の楽曲ＩＤ番号を出力する。上記例の場合、「選曲エリア５」の指示があると、選曲手段１８は楽曲属性格納手段１７に格納されている各楽曲の印象値を参照し、当該エリア内に存在する楽曲（図２の選曲エリア３内部に付置する楽曲群）から予め定めた方法により楽曲を選択し、その楽曲ＩＤを出力する。
【００２３】
音楽データ再生手段１９は、再生制御手段１４から出力された再生対象の楽曲ＩＤ番号の音楽データを音楽データ格納手段１５から取得し、再生制御手段１４から指示された再生方法で当該楽曲を再生し利用者が聴取可能な状態とする。
【００２４】
上記例より、５回／秒という、比較的激しく当該装置を振る動作により、図２の選曲エリア５に存在する楽曲群から曲が選曲され、結果として非常に激しい感じの曲が再生されることとなる。また同様に、１回／秒という、比較的ゆっくり当該装置を振る動作により、コマンド生成手段１２及びコマンド定義手段１３から「選曲エリア１から選曲」というコマンドが生成され、その結果図２の選曲エリア１、すなわち非常に穏やかな感じの曲が再生されることとなる。
【００２５】
以上のように本発明の実施の形態１の音楽再生装置によると、利用者の当該装置に対する動作に応じて選曲等の再生制御を行うことができ、煩わし操作を行うことなく直感的に所望の楽曲を再生することができる。
【００２６】
なお、本実施の形態では、動作検知手段１１は音楽再生装置本体の動作、すなわち利用者が当該音楽装置本体対して起こす動作を検知するが、リモコン等、当該音楽再生装置と別固体の装置の動作を検知してもよい。
【００２７】
また、本実施の形態においてはコマンド生成手段１２及びコマンド定義手段１３では選曲に関するコマンドの定義及び生成を行っているが、選曲以外のコマンドの定義及び生成を行ってもよい。例えば、コマンド定義手段１３において、振る回数とコマンドの対応を、
（１）  １回／秒  ⇒  再生
（２）  ２回／秒  ⇒  一時停止
（３）  ３回／秒  ⇒  次の曲に進む
（４）  ４回／秒  ⇒  前の曲に戻る
と定義し、コマンド生成手段１４はこの定義にしたがって再生制御に関するコマンドを生成してもよい。
【００２８】
（実施の形態２）
本実施の形態は、実施の形態１の動作検知手段において、加速度センサーを振動センサーと置換し、それに伴いコマンド定義手段を置換した形態である。その他の構成及び動作は実施の形態１と同様でるため説明を省略する。
【００２９】
図４は図１の動作検知手段１１として振動センサーを用いた場合の動作検知手段の出力電圧の例である。動作検知手段１１に利用者から「たたく」ことによる振動が加わると、その振動の大きさに比例して振動センサーは電圧を出力する。図４は動作検知手段を利用者が一秒間に５回たたいた場合の振動センサーの出力電圧を示しており、あらかじめ閾値電圧４１を設定し、閾値電圧４１を振動センサーの出力電圧が超えた時刻をカウントすることにより利用者が振動センサーをたたいた回数を検知することができる。図４においては時刻４２から４６が振動センサーをたたいた時刻であり、一秒間に５回たたいたと検知することができる。
【００３０】
一方、図１のコマンド定義手段１３ではたたいた回数と選曲エリアについて以下のような定義を保持する。
【００３１】
（１）  １回／秒  ⇒  選曲エリア１から選曲
（２）  ２回／秒  ⇒  選曲エリア２から選曲
（３）  ３回／秒  ⇒  選曲エリア３から選曲
（４）  ４回／秒  ⇒  選曲エリア４から選曲
（５）  ５回／秒  ⇒  選曲エリア５から選曲
すると、動作検知手段１１で本音楽再生装置をたたいた回数が５回／秒であると検知されると、実施の形態１の動作と同様にコマンド生成手段はコマンド定義手段を参照し上記（５）の定義より「選曲エリア５から選曲」という対応関係を導出し、選曲手段１８で当該エリアから選曲がなされる。すなわち、毎秒５回という「激しくたたく」という利用者の動作に応じて「激しい感じ」の楽曲を選曲及び再生することができる。
【００３２】
以上のように本発明の実施の形態２の音楽再生装置によると、利用者の当該装置に対する「たたく」という動作に応じて選曲等の再生制御を行うことができ、煩わし操作を行うことなく直感的に所望の楽曲を再生することができる。
【００３３】
（実施の形態３）
本実施の形態は、実施の形態１の動作検知手段において、加速度センサーを圧力センサーと置換し、それに伴いコマンド定義手段を置換した形態である。その他の構成及び動作は実施の形態１と同様でるため説明を省略する。
【００３４】
図５は図１の動作検知手段１１として圧力センサーを用いた場合の動作検知手段の出力電圧の例である。動作検知手段１１に利用者から「握る」動作が加わると、その振動の大きさに比例して圧力センサーは電圧を出力する。図５は圧力センサーに加えられた圧力と出力電圧との関係を図示したものである。また、握る強さの度合いを判定するために、出力電圧に図４の閾値５１から５５に示すようにあらかじめ閾値を設定し、各閾値で区切られた区間を電圧エリアＡからＥとして定義する。例えば、本音楽再生装置を強く握った場合、動作検知手段１１に圧力５６が加わり、圧力センサーにより電圧５７出力され、そのときの電圧エリアはエリアＥと判定される。
【００３５】
一方、図１のコマンド定義手段１３では出力電圧と選曲エリアについて以下のような定義を保持する。
【００３６】
（１）  電圧エリアＡ  ⇒  選曲エリア１から選曲
（２）  電圧エリアＢ  ⇒  選曲エリア２から選曲
（３）  電圧エリアＣ  ⇒  選曲エリア３から選曲
（４）  電圧エリアＤ  ⇒  選曲エリア４から選曲
（５）  電圧エリアＥ  ⇒  選曲エリア５から選曲
すると、動作検知手段１１で本音楽再生装置を握った圧力が５６であると検知されると、実施の形態１の動作と同様にコマンド生成手段はコマンド定義手段を参照し上記（５）の定義より「選曲エリアＥから選曲」という対応関係を導出し、選曲手段１８で当該エリアから選曲がなされる。すなわち、圧力５６という「強く握る」という利用者の動作に応じて「激しい感じ」の楽曲を選曲及び再生することができる。
【００３７】
以上のように本発明の実施の形態３の音楽再生装置によると、利用者の当該装置に対する「握る」という動作に応じて選曲等の再生制御を行うことができ、煩わし操作を行うことなく直感的に所望の楽曲を再生することができる。
【００３８】
（実施の形態４）
本実施の形態は、実施の形態１の動作検知手段において加速度センサーと圧力センサーの両方を備え、また、コマンド定義手段において加速度センサー及び圧力センサーそれぞれに対応するコマンド定義を保持する形態である。その他の構成および動作は実施の形態１と同様であるため説明を省略する。
【００３９】
図１の動作検知手段は加速度センサーと圧力センサーの両方を備え、本音楽再生装置に対して利用者が行った「振る」及び「握る」という動作を同時に検知する。例えば、「強く握りながら強く振る」という動作を検知する。一方、図６のように印象空間上のX,Y軸方向にそれぞれ選曲エリアを定義し、その選曲エリアを用いて次のようにコマンド定義手段のコマンド定義を行う。
【００４０】
Ａ（１）  電圧エリアＡ  ⇒  選曲エリアＸ１から選曲
Ａ（２）  電圧エリアＢ  ⇒  選曲エリアＸ２から選曲
Ａ（３）  電圧エリアＣ  ⇒  選曲エリアＸ３から選曲
Ａ（４）  電圧エリアＤ  ⇒  選曲エリアＸ４から選曲
Ａ（５）  電圧エリアＥ  ⇒  選曲エリアＸ５から選曲
Ｂ（１）  １回／秒  ⇒  選曲エリアＹ１から選曲
Ｂ（２）  ２回／秒  ⇒  選曲エリアＹ２から選曲
Ｂ（３）  ３回／秒  ⇒  選曲エリアＹ３から選曲
Ｂ（４）  ４回／秒  ⇒  選曲エリアＹ４から選曲
Ｂ（５）  ５回／秒  ⇒  選曲エリアＹ５から選曲
ここで、Ａ（１）からＡ（５）は圧力センサーに関するコマンドであり、圧力と電圧エリアとの対応は実施の形態３と同じである。同様にＢ（１）からＢ（５）は加速度センサーに関するコマンドであり、加速度と振る回数との対応は実施の形態１と同じである。例えば、本音楽再生装置を図５の圧力５６で握り、かつ、図２のように一秒間に５回振った場合、前記コマンド定義より、Ａ（５）かつＢ（５）が該当し、図６の印象空間上の選曲エリアのＸ５とＹ５が交差する部分、すなわち選曲エリア６１が選曲対象となる。すると選曲手段１８でこの選曲エリア６１から楽曲が選曲され、「激しさ」が比較的大きくかつ「かたさ」も比較的大きい楽曲が選曲及び再生されることとなる。すなわち、利用者の本音楽再生装置に対する「強く握りながら強く振る」という動作により、「比較的激しくかつかたい（タイトな）感じの曲」を選曲再生することができる。
【００４１】
以上のように本発明の実施の形態４の音楽再生装置によると、利用者の当該装置に対する「握る」及び「振る」という複数の動作の動作の組み合わせで選曲等の再生制御を行うことができ、煩わし操作を行うことなく大量の楽曲から特定の感性属性の楽曲を直感的再生することができる。
【００４２】
なお、本実施の形態では動作検知手段として加速度センサーと圧力センサーの組み合わせとしたが、他のセンサー、例えば振動センサー等との組み合わせでもよく、２つ以上のセンサーの組み合わせでもよい。また、印象空間を構成する因子として図６のように「激しい−穏やか」、「かたい−やわらかい」を用いているが、他の感性因子の組み合わせでもよい。
【００４３】
（実施の形態５）
本実施の形態は、実施の形態１の音楽再生装置の操作部の例を示すものである。図７は本実施の形態の音楽再生装置の外形を示したものである。図７において、７１は音楽再生装置の概形、７２は表示部、７３は再生ボタン、７４は停止ボタン、７５はスキップボタン、７６は巻き戻しボタンを表している。本音楽再生装置で楽曲を選曲・再生する手順を示す。まず、楽曲を選曲するために、利用者は本音楽再生装置を聞きたい楽曲のイメージに応じて振る。例えば激しい曲を聴きたい場合は、激しく、すなわち一秒間に多数の回数分振る。するとその振る激しさに応じて、実施の形態１に記載した動作検知手段１１、コマンド生成手段１２、コマンド定義手段１３、再生制御手段１４、及び選曲手段１８により激しい感じの楽曲が選曲され、その楽曲をあらわす情報（曲名、アーティスト名等）が表示部７２に表示される。利用者はその表示を確認し、その楽曲を聴取する場合は再生ボタン７３を押下すると実施の形態１に記載した再生制御手段１４及び音楽データ再生手段の動作により選曲された楽曲が再生される。また、表示部７２に表示された楽曲以外で同様の印象の楽曲を選曲したい場合はスキップボタン７５を押下することにより再生制御手段１４及び選曲手段１８により類似曲が選択され、その楽曲をあらわす情報が再度表示部７２に表示される。
【００４４】
以上のように本発明の実施の形態５の音楽再生装置によると、楽曲の選曲に関するボタン類等の操作系をもたずとも選曲したい楽曲のイメージに対応する動作を音楽再生装置に対して加えることで選曲を行うことができ、複数のボタン類を配置するの困難な小型な音楽再生装置において、直感的かつ簡易な操作で所望の印象の楽曲を選曲及び再生することができる。
【００４５】
なお、本実施の形態でなされる選曲動作は楽曲の再生中、再生停止中のいずれにかかわらず行ってもよい。また、音楽再生装置本体ではなく、音楽再生装置を遠隔操作するためのリモコン装置において実施してもよい。
【００４６】
（実施の形態６）
本実施の形態は、実施の形態１の音楽再生装置における処理方法の手順をあらわしたものである。図８において、Ｓ１１は動作検知手順、Ｓ１２はコマンド生成手順、Ｓ１３は選曲コマンド判定手順、Ｓ１４は選曲手順、Ｓ１５は再生制御手順、Ｓ１６は音楽データ再生手順をあらわしている。なお、コマンド定義手段１３、音楽データ格納手段１５、特徴量抽出手段１６、楽曲属性格納手段１７は図１の各部と同じものであり説明を省略する。また、図８の各手順の動作は図１の音楽再生装置の対応する各部と同じものであり詳細な説明は省略する。図８を用いて本音楽再生装置の処理方法を説明する。
【００４７】
まず動作検知手順Ｓ１１で利用者の本音楽再生装置に対する「振る」、「たたく」、「握る」などの動作を検知する。次にコマンド生成手順Ｓ１２ではＳ１１で検知した動作をコマンド定義手段１３で定義されているコマンド定義と照らし合わせ、動作に対応するコマンドを生成する。次に、選曲コマンド判定手順ではコマンド生成手順Ｓ１２で生成したコマンドが選曲に関するものか否かを判定し、選曲に関するコマンドであれば選曲手順Ｓ１４に進む。選曲手順Ｓ１４は楽曲属性格納手段１７に格納されている各楽曲の属性情報を参照して選曲コマンドに対応した選曲を行う。なお、楽曲属性格納部に格納されている属性情報はあらかじめ音楽データ格納手段１５に格納されている各楽曲の音響信号から特徴量抽出手段１６により抽出しておくものとする。次に再生制御手順Ｓ１５では選曲手順Ｓ１４により求めた再生曲及び利用者からの指示もしくはあらかじめ定めた再生手順に基づいて再生制御方法を定め、音楽データ再生手順Ｓ１６は前記再生制御方法に基づいて音楽データ格納手段１５に格納されている音楽データを再生する。
【００４８】
以上のように本発明の実施の形態６の音楽再生方法によると、利用者の本音楽再生装置に対する動作を検知し、その動作からコマンドを生成し、選曲コマンドの場合はコマンドに対応した方法で選曲を行い、再生制御手順で再生を制御し、音楽データ再生手順で当該楽曲を再生するため、利用者の当該装置に対する動作に応じて選曲等の再生制御を行うことができ、煩わし操作を行うことなく直感的に所望の楽曲を再生することができる。
【産業上の利用可能性】
【００４９】
本発明にかかる音楽再生装置は、利用者の動作を検知する動作検知手段と、その検知した動作に応じて選曲等楽曲の再生を制御する再生制御手段とを有し、半導体オーディオプレーヤー等常時携帯しながら音楽聴取することを前提とした小型の音楽再生装置として有用である。また据え置き型の音楽再生装置においても、リモコン等別筐体の操作部に本発明を適用することにより小型かつ直感的に再生操作が可能となる。
【図面の簡単な説明】
【００５０】
【図１】この発明の一実施の形態による音楽再生装置を示す図
【図２】この発明の一実施の形態で用いる加速度センサーの出力電圧例を示す図
【図３】この発明の一実施の形態で用いる選曲エリアを示す図
【図４】この発明の一実施の形態で用いる振動センサーの出力電圧例を示す図
【図５】この発明の一実施の形態で用いる圧力センサーの出力電圧例を示す図
【図６】この発明の一実施の形態で用いる選曲エリアを示す図
【図７】この発明の一実施の形態による音楽再生装置の概観図
【図８】この発明の一実施の形態の音楽再生方法のフローチャート
【符号の説明】
【００５１】
１１    動作検知手段
１２    コマンド生成手段
１３    コマンド定義手段
１４    再生制御手段
１５    音楽データ格納手段
１６    特徴量抽出手段
１７    楽曲属性格納手段
１８    選曲手段
１９    音楽データ再生手段
７１    音楽再生装置
７２    表示部
７３    再生ボタン
７４    停止ボタン
７５    スキップボタン
７６    巻き戻しボタン
Ｓ１１    動作検知手順
Ｓ１２    コマンド生成手順
Ｓ１３    選曲コマンド判別手順
Ｓ１４    選曲手順
Ｓ１５    再生制御手順
Ｓ１６    音楽データ再生手順
【図１】
2006017874.tif 000003
【図２】
2006017874.tif 000004
【図３】
2006017874.tif 000005
【図４】
2006017874.tif 000006
【図５】
2006017874.tif 000007
【図６】
2006017874.tif 000008
【図７】
2006017874.tif 000009
【図８】
2006017874.tif 000010